(57)【特許請求の範囲】
【請求項１】
少なくとも一方の表面に凹凸が形成された一対の加工ローラでシート状の印画物を挟み込んで前記印画物に凹凸を付与するエンボス加工装置において、
前記一対の加工ローラの周速度差が２％以下となるように、前記一対の加工ローラを互いに異なる周速度で回転させるローラ駆動手段を備えることを特徴とするエンボス加工装置。
【請求項２】
前記一対の加工ローラのうち前記凹凸が形成された加工ローラを加熱する加熱手段と、前記凹凸が形成された加工ローラの表面温度が調整されるように前記加熱手段を制御する温度制御手段と有することを特徴とする請求項１に記載のエンボス加工装置。
【請求項３】
前記温度制御手段は、前記表面温度が７０℃〜９０℃の範囲内に調整されるように前記加熱手段を制御することを特徴とする請求項２に記載のエンボス加工装置。
【請求項４】
前記印画物に加えられる加圧力を調整可能な加圧力調整手段を備え、前記加圧力調整手段は、前記印画物の幅２１０ｍｍあたりにかかる荷重が５００ｋｇｆ〜８００ｋｇｆの範囲内で前記加圧力を調整することを特徴とする請求項１〜３のいずれか一項に記載のエンボス加工装置。
【請求項５】
少なくとも一方の表面に凹凸が形成された一対の加工ローラにてシート状の印画物を挟み込んだ状態で前記一対の加工ローラを互いに異なる周速度で回転させる工程を有し、前記回転させる工程では、前記一対の加工ローラの周速度差を２％以下に設定することを特徴とする凹凸面を有した印画物の製造方法。
【請求項６】
前記一対の加工ローラのうち前記凹凸が形成された加工ローラを加熱する工程を更に備えることを特徴とする請求項５に記載の製造方法。
【請求項７】
前記加熱する工程では、前記凹凸が形成された加工ローラの表面温度が７０℃〜９０℃の範囲内に調整することを特徴とする請求項６に記載の製造方法。
【請求項８】
前記回転させる工程では、前記印画物に加えられる加圧力を、前記印画物の幅２１０ｍｍあたりにかかる荷重が５００ｋｇｆ〜８００ｋｇｆの範囲内で調整することを特徴とする請求項５〜７のいずれか一項に記載の製造方法。
【発明の詳細な説明】
【技術分野】
【０００１】
本発明は、シート状の印画物に凹凸を付与するエンボス加工装置及び凹凸面を有した印画物の製造方法に関する。
【背景技術】
【０００２】
写真等の印画物には表面の光沢度が抑えられたものがある。銀塩写真の場合には表面に凹凸が付与された印画紙に画像をプリントすることにより、光沢が抑えられたいわゆる絹目調の印画物が得られる。一方、昇華型熱転写方式のプリンターを利用して光沢度が抑えられたつや消しの印画物を得るためには、銀塩写真のように画像形成前の受像シートに予め凹凸を付しておくことができないので、画像形成後の印画物に凹凸を付すことが必要となる。
【０００３】
そこで、画像形成後の印画物に凹凸を付与するエンボス加工装置として、表面に凹凸が形成され、かつヒータを内蔵した加熱ローラと、この加熱ローラと対向して配置されたクッションローラとを有し、熱転写によって画像が形成された受像シートをこれらのローラで挟み込んで、受像シートの画像形成面に凹凸を付与する装置が知られている（特許文献１）。
【０００４】
【特許文献１】特開昭６２−１９８８５７号公報
【発明の開示】
【発明が解決しようとする課題】
【０００５】
このような装置を使用して、画像が昇華転写された印画物に凹凸を付与するためには、凹凸を付与する際の印画物の処理温度及び印画物を加熱ローラとクッションローラにて挟み込む際の処理圧力をそれぞれ設定する必要がある。つや消しの効果を高めるためには、処理温度及び処理圧力を高めることにより印画物に付与する凹凸の深さや大きさを拡大させる必要がある。しかし、処理温度や処理圧力には自ずと上限があり、要求される印画物の質感によっては処理温度や処理圧力が高くなりすぎて、印画物の損傷を招くおそれがある。また、装置構成をシンプルにするためには処理温度及び処理圧力をできるだけ小さくすることが望ましい。
【０００６】
そこで、本発明は、処理温度や処理圧力を必要以上に高めずに要求された質感の印画物を得ることができるエンボス加工装置及び凹凸面を有した印画物の製造方法を提供することを目的とする。
【課題を解決するための手段】
【０００７】
以下、本発明のエンボス加工装置及び凹凸面を有した印画物の製造方法について説明する。なお、本発明の理解を容易にするために添付図面の参照符号を括弧書きにて付記するが、それにより本発明が図示の形態に限定されるものではない。
【０００８】
本発明のエンボス加工装置は、少なくとも一方の表面に凹凸が形成された一対の加工ローラでシート状の印画物を挟み込んで前記印画物に凹凸を付与するエンボス加工装置において、前記一対の加工ローラの周速度差が２％以下となるように、前記一対の加工ローラを互いに異なる周速度で回転させるローラ駆動手段を備えることにより、上述した課題を解決する（請求項１）。
【０００９】
このエンボス加工装置によれば、一対の加工ローラが互いに異なる周速度で回転駆動される。このため、印画物を一対の加工ローラで挟み込み、印画物に凹凸を付与する際には、加工ローラの周速度差に起因して印画物に歪みが発生し、印画物に付与される凹凸の大きさが印画物の送り方法に拡大する。つまり、一対の加工ローラに周速度差がない場合と周速度差がある場合とを比較すると、例えば処理圧力及び処理温度が互いに同一であれば印画物に形成される凹凸の深さは同一である。しかし、周速度差を与えた場合には、周速度差が無い場合よりも大きさが拡大した凹凸を印画物に形成することができる。一般に、観察者が体感する印画物のつや消し効果は、印画物の凹凸の深さよりも大きさが寄与する傾向がある。すなわち、凹凸の深さが同じでも大きさが大きければそれだけつや消し効果が高まることになる。従って、このエンボス加工装置によれば、同一の処理圧力と処理温度でありながらつや消し効果を向上することができる。そのため、必要以上に処理圧力や処理温度を高めずに、要求された質感の印画物を得ることができる。しかも、周速度差が２％以下に設定されるので、周速度差が大きくなることによる不具合、例えば印画物の歪みが大きくなりすぎて印画物の表面に曇りが発生するといった不具合を回避できる。
【００１０】
また、本発明のエンボス加工装置においては、前記一対の加工ローラのうち前記凹凸が形成された加工ローラを加熱する加熱手段と、前記凹凸が形成された加工ローラの表面温度が調整されるように前記加熱手段を制御する温度制御手段とを有してもよい（請求項２）。この態様によれば、凹凸が形成された加工ローラの表面温度が適宜に調整されるのでより好ましい質感の印画物を得ることができる。この態様においては、表面温度が７０℃〜９０℃の範囲内に調整されるように加熱手段を制御してもよい（請求項３）。このように温度条件を設定することで、処理温度が高くなりすぎて印画物が発泡したり、加工ローラに融着するといった外観上以外の不具合の発生を防止できる。
【００１１】
また、本発明のエンボス加工装置においては、前記印画物に加えられる加圧力を調整可能な加圧力調整手段を備え、前記加圧力調整手段は、前記印画物の幅２１０ｍｍあたりにかかる荷重が５００ｋｇｆ〜８００ｋｇｆの範囲内で前記加圧力を調整してもよい（請求項４）。この態様によれば、印画物に加えられる加圧力が調整されるので、加工後の印画物の質感を正確に調整することができる。
【００１２】
本発明の凹凸面を有した印画物の製造方法は、少なくとも一方の表面に凹凸が形成された一対の加工ローラにてシート状の印画物を挟み込んだ状態で前記一対の加工ローラを互いに異なる周速度で回転させる工程を有し、前記回転させる工程では、前記一対の加工ローラの周速度差を２％以下に設定することにより、上述した課題を解決することができる（請求項５）。この製造方法によれば、上述したエンボス加工装置と同様に、必要以上に処理圧力や処理温度を高めずに、要求された質感の印画物を得ることができる。しかも、周速度差が２％以下に設定されるので、周速度差が大きくなることによる不具合、例えば印画物の歪みが大きくなりすぎて印画物の表面に曇りが発生するといった不具合を回避できる。
【００１３】
また、本発明の製造方法においては、前記一対の加工ローラのうち前記凹凸が形成された加工ローラを加熱する工程を更に備えてもよいし（請求項６）、前記加熱する工程では、前記凹凸が形成された加工ローラの表面温度が７０℃〜９０℃の範囲内に調整してもよい（請求項７）。更に、前記回転させる工程では、前記印画物に加えられる加圧力を、前記印画物の幅２１０ｍｍあたりにかかる荷重が５００ｋｇｆ〜８００ｋｇｆの範囲内で調整してもよい（請求項８）。これらの態様によれば、上述したエンボス加工装置の好ましい態様と同様の効果を発揮できる。
【発明の効果】
【００１４】
以上説明したように、本発明によれば、印画物を挟み込む一対の加工ローラの周速度差が２％以下となるように一対の加工ローラが互いに異なる周速度で回転駆動されるので、必要以上に処理圧力や処理温度を高めずに要求された質感の印画物を得ることができる。
【発明を実施するための最良の形態】
【００１５】
図１及び図２は本発明の実施形態に係るエンボス加工装置を示しており、図１は側面図を、図２は図１の右側から見た正面図を示している。エンボス加工装置１はシート状の印画物１００に圧力を加えて表面に凹凸を付与する装置である。この印画物１００は紙を基材とした受像シートに画像が熱転写されて表面が保護層で覆われた写真である。エンボス加工装置１は印画物１００の保護層側の表面（画像形成面）に凹凸を付与する。これによって、印画物１００は表面の光沢が抑えられたつや消し状に加工される。
【００１６】
エンボス加工装置１は、図１の右側に位置し印画物１００に凹凸を付与する加工部２と、図１の左側に位置し加工前の印画物１００を保持しておく保持部３と、保持部３から送り出された印画物１００を移送方向ｙ１に向けて加工部２に移送するフィーダ部４と、保持部３の下方に位置し各部の動作を制御する制御部６とを有している。保持部３は印画物１００をトレー１０上に複数枚重ねた状態で保持でき、かつ電動機１２を駆動源とした駆動ローラ１１を動作させることでトレー１０から印画物１００を一枚ずつフィーダ部４へ送り出すことができる。フィーダ部４は、電動機１４を駆動源とした複数組（図では３組）の駆動ローラ１３を有している。これら駆動ローラ１３のうち、電動機１４の直上に位置するローラ１３Ａは、印画物１００の表面の埃等の汚れを除去するクリーニングローラとして機能する。また、フィーダ部４は、駆動ローラ１３で送り込まれた印画物１００を予熱するための予熱ローラ１５を有している。予熱ローラ１５はヒータ等の発熱手段を内蔵しており、その発熱手段の発熱量を調整することで、印画物１００の温度を一定に保持できる。これにより、エンボス加工装置１の設置場所の室温等の環境条件が変化した場合でも、印画物１００の温度変化に起因する性状の変化を抑えることができる。そのため、エンボス加工装置１の環境条件の変化によって、印画物１００の加工状態が変動することを防止できる。フィーダ部４と加工部２との境界部分には印画物１００を正確に案内するためのフィーダガイド１６が設けられている。以上の構成により、フィーダ部４は保持部３から送り込まれた印画物１００をローラ１３Ａで綺麗にし、かつ予熱ローラ１５で温度調整をした上で、加工部２へスムーズに送り出すことができる。加工部２で所定の加工が行われた印画物１００はデリバリー部７で一時的に保管される。
【００１７】
図２にも示すように、加工部２には、印画物１００に圧力を加える加圧ローラ２０と、この加圧ローラ２０に対向するように配置されたエンボスローラ２１とがそれぞれ設けられている。エンボスローラ２１の表面には所定形状の凹凸が形成されていて、印画物１００がエンボスローラ２１と加圧ローラ２０とによって挟み込まれた状態で移送されることにより、印画物１００に圧力が加えられてその画像形成面（エンボスローラ２１側の表面）に凹凸が付与される。この形態では、加工部２における印画物１００の移送方向はフィーダ部４における移送方向ｙ１と等しい。加圧ローラ２０及びエンボスローラ２１は、印画物１００の全面に凹凸を付与できるように印画物１００よりも十分大きな幅を有している。エンボスローラ２１は例えばアルミニウムの中空材料で構成され、その表面の凹凸はブラスト処理で形成されている。加圧ローラ２０は回転軸２２の両側に設けられた玉軸受２３、２３を介在させて、ローラ支持部材２４にて軸線ＣＬ１回りに回転可能に支持されている。ローラ支持部材２４には電動機２５が取付けられている。電動機２５の回転がベルト２６を介してプーリ２７に伝達され、さらにこのプーリ２７の回転が加圧ローラ２０の回転軸２２の一端に伝達されることにより、加圧ローラ２０が回転駆動される。
【００１８】
エンボスローラ２１の両側には玉軸受２９、２９が配置されている。これらの玉軸受２９、２９によって回転軸２８が支持されることにより、エンボスローラ２１は軸線ＣＬ２回りに回転可能な状態でフレーム３０に固定されたブラケット３１に取付けられている。エンボスローラ２１の軸線ＣＬ２は加圧ローラ２０の軸線ＣＬ１と平行である。言い換えれば、加圧ローラ２０及びエンボスローラ２１は、それぞれの軸線ＣＬ１、ＣＬ２を同一方向に向けるようにして配置されている。エンボスローラ２１の回転軸２８は図２の左側の一端がフレーム３０の外側に延びている。その一端にはフレーム３０の外側に設けられた電動機３２の回転が減速機構３３を介して伝達される。これによって、エンボスローラ２１は回転駆動される。図５に示すように、エンボスローラ２１はその表面温度を所定温度範囲内に設定できる温度調整機構３５を備えている。温度調整機構３５はエンボスローラ２１の回転軸２８の内部に設けられたヒータ３６等の発熱体を備え、このヒータ３６の発熱量が適宜に調整されることで、エンボスローラ２１の表面温度が設定される。
【００１９】
図１及び図２に示すように、エンボス加工装置１は、加圧ローラ２０が印画物１００に加える圧力（加圧力）を調整するための一対の加圧機構４０Ａ、４０Ｂを備えている。加圧機構４０Ａ、４０Ｂは互いに同様の構成であり、加圧機構４０Ａは加圧ローラ２０の軸線ＣＬ１方向に関する一方（図２の左側）における加圧力を、加圧機構４０Ｂはその他方（図２の右側）における加圧力をそれぞれ調整できる。加圧機構４０Ａ、４０Ｂのそれぞれの加圧力のバランスを調整することで、加圧ローラ２０の軸線ＣＬ１方向に関する加圧力を均一化できる。加圧機構４０Ａは加圧ローラ２０の真上に位置する加圧ばね４１Ａを介在させてローラ支持部材２４に連結された連結部材４２を有している。加圧機構４０Ｂも同様に、加圧ばね４１Ｂを介在させてローラ支持部材２４に連結された連結部材４２を有している。エンボス加工装置１は二つの加圧機構４０Ａ、４０Ｂで連結部材４２を共用しているが、連結部材４２を分離して加圧機構４０Ａ、４０Ｂのそれぞれに専用の連結部材を設けてもよい。
【００２０】
連結部材４２は加圧ばね４１Ａ、４１Ｂが配置された位置からそれぞれ一方向（図１の右側）に延びる一対のアーム４３Ａ、４３Ｂを有し、これらの一端は加圧ローラ２０の軸線ＣＬ１と平行に延びるようにしてフレーム３０に固定された取付け軸３７に回転自在に連結されている。取付け軸３７とローラ支持部材２４とは、加圧ローラ２０の後方（図１の右側）で、かつ加圧ばね４１Ａ、４１Ｂのそれぞれに対応する位置に設けられた一対の復帰ばね４４Ａ、４４Ｂを介して互いに連結されている。
【００２１】
以上の構成により、エンボス加工装置１は一対の加圧ばね４１Ａ、４１Ｂ及び一対の復帰ばね４４Ａ、４４Ｂをそれぞれ介在させた状態で、ローラ支持部材２４と加圧ローラ２０とが一体となってフレーム３０に対して印画物１００の厚さ方向、言い換えればフィード部４における移送方向ｙ１と交差する方向ｙ２に変位できる。この形態では、方向ｙ２は移送方向ｙ１と直交する方向、更に言えば鉛直方向に設定される。なお、この変位を案内するための案内装置４９がローラ支持部材２４の両側面側に二つずつ（図１では一対のみ示されている）、ローラ支持部材２４の正面側と背面側に一つずつ（図２では一つのみ示されている）設けられている。案内装置４９はローラ支持部材２４に形成された案内溝４９ａと、その案内溝４９ａ内を移動可能な状態でフレーム３０に取付けられた案内駒４９ｂと、を備えている。案内溝４９ａと案内駒４９ｂとの間には所定量の遊びが設けられている。その遊び量を各案内装置４９において適宜に設定することにより、許容範囲を超えたローラ支持部材２４の変位を防止しつつ、エンボスローラ２１等の機械的誤差に対して余裕を与えることができる。これにより、ローラ支持部材２４の動作を確実かつ安定させることができる。
【００２２】
復帰ばね４４Ａ、４４Ｂは、連結部材４２をローラ支持部材２４とともにエンボスローラ２１から離れる方向（図中上方）へ付勢するように機能する。図１及び図２に示した状態は、加圧機構４０Ａ、１０Ｂが連結部材４２を下方に変位させ、その変位によって加圧ばね４１Ａ、４１Ｂが所定量圧縮された加圧位置を示している。加圧位置においては、復帰ばね４４Ａ、４４Ｂが所定量引き延ばされ、かつ加圧ばね４１Ａ、４１Ｂが所定量圧縮されている。そのため、図４に示すように、加圧機構４０Ａ、４０Ｂによる連結部材４２に対する押し付けが解除された場合には加圧ばね４１Ａ、４１Ｂの圧縮が解消されるとともに、図４の実線で示した加圧位置から、想像線で示した待機位置に復帰する。待機位置においては、加圧ローラ２０とエンボスローラ２１との間に所定の隙間Ｇが形成される。隙間Ｇは印画物１００の厚さよりも大きい寸法に設定される。
【００２３】
図３は図１及び図２の上側から見た拡大図であり、加圧機構４０Ａ、４０Ｂが拡大して示されている。以下では、加圧機構４０Ａについて説明し、加圧機構４０Ａに関連する部材の符号にＡを付加する。加圧機構４０Ｂに関しては加圧機構４０Ａと同様の構成であるため、各図面において加圧機構４０Ｂに関連する部材の符号にＢを付加し、重複する説明を省略する。図１〜図３に示すように、加圧機構４０Ａは連結部材４２の上面に取付けられて加圧ローラ２０軸線ＣＬ１方向に延びる傾斜部材４５Ａと、この傾斜部材４５Ａの上方に配置されて同一高さを保持しながら加圧ローラ２０の軸線ＣＬ１方向（図２の左右方向）に移動可能な移動部材４６Ａと、この移動部材４６Ａが同方向に移動するように駆動する駆動機構４７Ａと、を備えている。
【００２４】
傾斜部材４５Ａは、印画物１００の厚さ方向、つまり図１に示した方向ｙ２に関して高低差を有する斜面５０ａが形成された二つの傾斜プレート５０、５０で構成される。各傾斜プレート５０には互いに平行で、かつ方向ｙ２に関して高低差を有した高平面５０ｂ及び低平面５０ｃが斜面５０ａの両側に連なるようにして形成されている。移動部材４６Ａには、移動方向と直交する軸線ＣＬ３回りに回転自在な一対の接触ローラ５１、５１がこれらに対応する傾斜プレート５０上を走行可能な状態で設けられている。一対の接触ローラ５１、５１は復帰ばね４１Ａ（４１Ｂ）の復元力により傾斜プレート５０が常時押し付けられた状態になっている。また、一対の接触ローラ５１、５１は、移動部材４６Ａの移動方向に関して前後にずらされた状態で移動部材４６Ａに設けられている。各傾斜プレート５０に形成された斜面５０ａの位置は、一対の接触ローラ５１、５１のずれ量に対応してずらされている。このため、移動部材４６Ａの移動範囲内において一対の接触ローラ５１、５１と傾斜プレート５０との接触が常時確保されるので、移動部材４６Ａの移動に伴って一方の接触ローラ５１が傾斜プレート５０から離れて他方の接触ローラ５１のみに荷重が作用することが防止される。
【００２５】
駆動機構４７Ａは加圧ローラ２０の軸線ＣＬ１と平行な方向に延びる旋回軸５２Ａと、この旋回軸５２Ａを回転駆動する駆動装置５３Ａと、旋回軸５２Ａの回転運動を軸線方向の直線運動に変換して移動部材４６Ａに伝達するボールねじ機構５４Ａとを備えている。旋回軸５２Ａは回転可能にフレーム３０に取付けられていて、一方（図２の左側）の端部が駆動装置５３Ａに連結されている。駆動装置５３Ａは電動機５６Ａと、この電動機５６Ａの回転を減速して旋回軸５２Ａに伝達する回転伝達機構５５Ａとを有している。電動機５６Ａが駆動されることで旋回軸５２Ａは回転駆動される。ボールねじ機構５４Ａは周知の機構と同様で、旋回軸５２Ａの外周面に形成された螺旋状のボール転走溝６０ａを有する雄ねじ６０Ａと、ボール転送溝６０ａに沿って転走可能な複数のボール（不図示）と、移動部材４６Ａに設けられかつ複数のボールを介在させて雄ねじ６０と組み合わされたナット６１Ａ（図１）とを有している。これにより、電動機５６Ａの作動状態を制御することにより、移動部材４６Ａの移動量及び位置をそれぞれ調整することができる。また、各傾斜プレート５０の低平面５０ｃに対する斜面５０ａの傾き角を適宜に設定することで、初期の加圧力の加わり具合を調整できる。つまり、この傾き角が小さいほど滑らかに加圧力が印画物１００に加わるようになる。
【００２６】
以上の構成により、加圧機構４０Ａが連結部材４２を押し下げる変位量を調整できるので、加圧ローラ２０の一方（図２の左側）の加圧力を調整することができる。加圧機構４０Ｂも加圧機構４０Ａと同様の構成を備えているので、加圧ローラ２０の他方（図２の右側）の加圧力を調整することができる。従って、加圧ローラ２０の軸線ＣＬ１方向に関する加圧力のバランスを調整できるので印画物１００の幅方向に関する加圧力を調整することが可能となる。
【００２７】
図１に示した制御部６は、図示を省略したが、マイクロプロセッサを備えたＣＰＵと、このＣＰＵの動作に必要なＲＯＭ、ＲＡＭ等の記憶手段を含む周辺装置と、を有している。制御部６のＲＯＭには各部の制御を行うための制御手順が記述された各種のプログラムが書き込まれており、ＣＰＵは必要なプログラムをＲＯＭから適宜に読み出して実行する。制御部６は所定の電源に接続され、更に、上述した保持部３の駆動ローラ１１、フィーダ部４の駆動ローラ１３及び予熱ローラ１５、加工部２の加圧ローラ２０、エンボスローラ２１、並びに加圧機構４０の移動部材４０Ａ、４０Ｂのそれぞれの駆動源として設けられた電動機１２、１４、２５、３２、５６Ａ、及び５６Ｂに電気的に接続されている。また、制御部６はエンボスローラ２１に設けられた温度調整機構３５と電気的に接続されて、ヒータ３６の発熱量を制御する。
【００２８】
図１に示すように、ローラ支持部材２４と加圧ばね４１Ａとの間及びローラ支持部材２４と加圧ばね４１Ｂとの間には、それぞれ一つずつ計２つのロードセル７０が設けられていて制御部６と電気的に接続されている。ロードセル７０は周知のように、作用する荷重に応じた電気信号を出力するものである。これにより、加圧機構４０Ａ、４０Ｂのそれぞれによる加圧力を検出することができる。また、加圧ローラ２０とエンボスローラ２１との間には、加工対象の印画物１００の存否並びに印画物１００の移送方向の前方及び後方の各端部をそれぞれ検出できる在荷センサ７１が設けられている。在荷センサ７１は接触式、非接触式のいずれでもよい。
【００２９】
次に、制御部６が行う主要な制御について説明する。図６は制御部６が行う制御手順の概要を示した説明図である。この図に示すように、制御部６は、まず、（１）所定の開始条件が成立した場合に、ローラ支持部材２４を待機位置（図４の想像線の位置）に保持した状態で印画物１００のフィードを開始させる。次に、（２）印画物１００の移送方向の前方の端部１００ａが加圧ローラ２０とエンボスローラ２１との間に位置すると在荷センサ７１にて検出された場合に印画物１００のフィードを一旦停止する。フィードを停止させる位置は加圧ローラ２０とエンボスローラ２１との接点を含む所定範囲に設定される。次いで、（３）ローラ支持部材２４を待機位置から加圧位置（図４の実線の位置）に変更し、印画物１００のフィードを再開するとともに加圧ローラ２０及びエンボスローラ２１を駆動して印画物１００の加工を実施する。次いで、（４）印画物１００の移送方向ｙ１の後方の端部１００ｂが在荷センサ７１にて加圧ローラ２０とエンボスローラ２１との間に位置すると検出された場合に、加圧ローラ２０及びエンボスローラ２１の駆動を停止して、ローラ支持部材２４を加圧位置から待機位置に変更して加工を終了する。このように、移送方向ｙ１の前方の端部１００ａが検出された場合にフィードを一旦停止し、その後、ローラ支持部材２４を待機位置から加圧位置に変更して加工を行うので、印画物１００の端から端まで満遍なく所定の凹凸を付与できる。また、加圧ローラ２０とエンボスローラ２１との間に印画物１００が存在しない場合にはローラ支持部材２４が待機位置に保持されるので、加圧ローラ２０とエンボスローラ２１とが直接接触する不都合を回避できる。
【００３０】
次に、制御部６が上記（３）において実行する制御（加工制御）の詳細を説明する。図７は加工制御の制御手順の一例を示したフローチャートである。まず、制御部６は、ステップＳ１において待機位置から加圧位置に変更されるように、加圧機構４０Ａの移動部材４６Ａ及び加圧機構４０Ｂの移動部材４６Ｂの位置を変更する。具体的には、図３に示した移動部材４６Ａ、４６Ｂの想像線の位置から接触ローラ５１が各傾斜プレート５０の斜面５０ａの一部に乗り上げる位置まで移動部材４６Ａ、４６Ｂが移動するように、制御部６が電動機５６Ａ、５６Ｂの作動状態をそれぞれ制御する。この場合の移動部材４６Ａ、４６Ｂの位置は加圧力の目標値と対応付けられた所定位置に設定される。所定位置は加工対象の印画物１００の種類に応じて適宜に変更してよい。例えば、印画物１００に加えられる総荷重が５００〜７００ｋｇｆの範囲内となるように所定位置を設定してもよい。次に、制御部６は加圧ローラ２０及びエンボスローラ２１がそれぞれ回転駆動するように、電動機５６Ａ、５６Ｂのそれぞれの作動状態を制御する（ステップＳ２）。加工時の印画物１００の送り速度は適宜に設定されてよく、例えば２〜２０ｍｍ／ｓに設定される。
【００３１】
次に、制御部６は、各ロードセル７０の出力を検出し（ステップＳ３）、その検出結果と加圧力の目標値との偏差が減少するように移動部材４６Ａ、４６Ｂの位置をそれぞれ制御する。ステップＳ３及びステップＳ４の処理は印画物１００の移送方向ｙ１の後方の端部１００ｂが検出されるまでの間繰り返し実行される（ステップＳ５）。これにより、印画物１００に対する加圧力が調整されて略一定の加圧力で印画物１００を加工できるので、印画物１００の個体差に応じて正確な加工が可能となる。
【００３２】
以上のエンボス加工装置１は単独で実施することもできるし、例えば図８に示すようにエンボス加工装置１とプリンター８０と組み合わせて印刷システム２００として実施することもできる。図８に示したプリンター８０は、受像紙に転写シートのインクを熱転写して画像を形成する昇華型熱転写方式のプリンターとして構成されている。プリンター８０は受像紙１００ａを支持しつつ搬送するプラテンロール８２と、未使用の熱転写シート８１が巻かれた巻出しロール８３と、巻出しロール８３から繰り出された熱転写シート８１を加熱するサーマルヘッド８４と、サーマルヘッド８４により加熱された転写シート８１を巻き取る巻取りロール８５とを備えている。プラテンロール８２、巻出しロール８３、サーマルヘッド８４、巻取りロール８５は、受像紙１００ａの送り方向ｙ３と直交するように配置されており、受像紙１００ａの全幅に亘って延びている。プラテンロール８２とサーマルヘッド８４とは、所定の圧力で受像紙１００ａを挟むようにして押圧可能に配置されている。図８の印刷システム２００によれば、プリンター８０にて受像紙１００ａに画像が熱転写されて印画物１００が形成される。画像が形成された印画物１００は、エンボス加工装置１の保持部３に送られて、その後加工部２にて凹凸が付与される。なお、印刷システム２００は、プリンター８０で形成された印画物１００への加工の要否に応じ、制御部６が印画物１００に対する凹凸の付与を選択的に実行できるように構成されてもよい。この場合には、凹凸が付された印画物１００と付されていない印画物１００の両者を使用者の好みに応じて得ることができる。
【００３３】
図９に示したように、エンボス加工装置１においては、エンボスローラ２１と接するようにしてバックアップローラ９０を回転可能にフレーム３０に取付けてもよい。バックアップローラ９０はエンボスローラ２１によって駆動される。バックアップローラ９０は、エンボスローラ２１の軸線ＣＬ２方向に関する幅と略同幅に形成される。図９の形態によれば、エンボスローラ２１の撓み等の変形が抑制されるので加工精度を向上できる。
【実施例】
【００３４】
次に、エンボス加工装置１を用いた印画物の加工例について説明する。図１０はエンボス加工装置１による加工例を示し、これらの加工例では、加圧ローラ２０として直径８０ｍｍの鉄製のものを使用し、エンボスローラ２１として直径８０ｍｍのアルミニウム製で、算術平均粗さＲａ＝８の表面を有するものを使用した。エンボスローラ２１の表面の凹凸はサンドブラスト法で形成した。図１０の加工例では、印画物１００の処理温度、処理圧力、加圧ローラ２０の周速度、エンボスローラ２１の周速度、及び加圧ローラ２０とエンボスローラ２１との周速度差を加工条件として設定し、これらを種々変化させて上述した手順で印画物１００の加工を実行した。
【００３５】
印画物１００の処理温度は、温度調整機構３５により設定されたエンボスローラ２１の表面温度を意味する。表面温度の測定はエンボスローラ２１の適所に設けた温度センサにて測定した。処理圧力は上述した加圧力と同義であるが、処理圧力の数値は印画物１００の幅２１０ｍｍあたりにかかる荷重（ｋｇｆ）で示されている。処理圧力の測定は上述ししたロードセル７０を利用して行い、そのロードセル７０として、株式会社共和電業製のロードセルＬＭＲ−Ｓ−５ＫＮＳＡ２を使用した。加圧ローラ２０及びエンボスローラ２１の周速度はローラの外周の接線方向の速度を意味する。周速度差は、エンボスローラ２１の周速度に対する加圧ローラ２０の周速度のずれを意味し、加圧ローラ２０の周速度をＶｐ、エンボスローラ２１の周速度をＶｅとしたとき、（Ｖｐ−Ｖｅ）／Ｖｅ×１００（％）で示される。なお、周速度差に「−」が付された場合は、エンボスローラ２１の周速度が加圧ローラ２０の周速度よりも速いことを意味するが、単に周速度差といった場合には絶対値を意味する。
【００３６】
各加工例に対する評価は以下の要領で行った。印画物１００の光沢度を日本電色工業株式会社製の光沢度計ＶＧ２０００を使用し、測定角６０°で測定した。また、印画物１００の算術平均粗さＲａを３次元表面粗さ計にて測定した。その測定条件及び解析条件は次の通りである。
（測定条件）測定ピッチ：４ｍｍ×２ｍｍ、測定ピッチ：２０μｍ、測定速度０．６０ｍｍ／ｓ
（解析条件）測定種別：粗さ測定、カットオフ種別：位相補正、カットオフ波長：０．８０ｍｍ、λｓフィルタ：なし
【００３７】
以上によって得た光沢度とＲａ値が基準レベルであれば「○」、それ以上のレベルであれば「◎」、基準レベルに満たない場合又はその他の外観上の不具合があれば「×」を付して外観判定を行った。また、外観が好ましくその他の不具合が無ければ「○」、外観が好ましくない、又はその他の不具合があれば「×」を付して総合判定を行った。
【００３８】
図１０に示すように、周速度差が２％以下である実施例１〜実施例１０は、それぞれ好ましい結果が得られた。これに対し、周速度差が０％の場合、つまり加圧ローラ２０とエンボスローラ２１が同一の周速度である場合には、好ましい結果が得られなかった。すなわち、比較例１〜３では凹凸の付与が不十分で光沢度を十分に下げることができなかった。また、処理温度を１００℃以上に高めた場合でも、基準例で一部の印画物１００が発泡したり、比較例４で印画物１００がエンボスローラ２１に融着するように、外観上の不具合とは別の不具合が発生した。一方、周速度差が２％を超える比較例５〜８の場合には、印画物１００の印画面に曇りが発生し、好ましい結果が得られなかった。
【００３９】
従って、加圧ローラ２０とエンボスローラ２１との間に周速度差を与え、その周速度差が２％以下の範囲内であることが好ましい。この範囲内で周速度差を与えた場合には、処理温度を７０℃〜９０℃の範囲に設定することが更に好ましい。つまり、処理温度を必要以上（例えば１００℃以上）に高めなくても、周速度差を２％以下の範囲内で調整することで、十分な凹凸を付与できる。また、周速度差を２％以下に設定した場合には、処理圧力を必要以上に高めなくても、十分な凹凸を付与できる。例えば、処理圧力を５００ｋｇｆ〜８００ｋｇｆの範囲に設定してもよい。このように、周速度差を２％以下に設定した場合には、処理温度や処理圧力を必要以上に高める必要がないので、印画物１００の損傷等の外観上の不具合とは異なる不具合の発生を回避することができる。また、処理圧力を比較的小さくできるので装置の規模を縮小できる。その結果、装置の低コスト化を実現できる。
【００４０】
以上において、加圧ローラ２０及びエンボスローラ２１が本発明の一対の加工ローラに、温度調整機構３５が本発明の加熱手段に、加圧機構４０Ａ、４０Ｂが本発明の加圧力調整手段に、それぞれ相当する。電動機２５、ベルト２６及びプーリ２７により加圧ローラ２０が回転駆動され、電動機３２及び減速機構３３によりエンボスローラ２１が回転駆動される。そのため、電動機２５、ベルト２６及びプーリ２７、並びに電動機３２及び減速機構が本発明のローラ駆動手段として機能する。また、制御部６が本発明の温度制御手段及び加圧力調整手段としてそれぞれ機能する。
【００４１】
但し、本発明は以上の実施形態に限定されず、種々の形態で実施できる。上述の実施形態では二つの加工ローラを独立に回転駆動できるように、加圧ローラ２０とエンボスローラ２１との間で駆動機構を分離した形態を例示したが、本発明はその形態に限定されず、二つの加工ローラが所定の周速度差で駆動できる限り二つの加工ローラを共通の駆動機構で回転駆動しても構わない。また、上述した加圧ローラ２０とエンボスローラ２１とを相互に置き換えてもよい。つまり、エンボスローラ２１をローラ支持部材２４で支持するようにしてもよい。なお、図１及び図２に示したように、鉛直方向に関して加圧ローラ２０を上側にエンボスローラ２１を下側にそれぞれ配置した場合には、エンボスローラ２１上に埃等の異物が溜りにくく、また、印画物１００に凹凸が付される面が鉛直方向に関して下側に向くことになるので、その面に異物が付着し難くなる点で有利である。
【００４２】
また、上述した実施形態では、加圧機構を加圧ローラの両端に一つずつ計二つ設けた形態を例示したが、加圧機構を二つ設けることは必須ではなく一つの加圧機構を設けて実施してもよい。一つの加圧機構を設ける場合には加圧力のバランスを考慮して加圧ローラ２０の中央に位置するように加圧機構を設けてもよい。
【図面の簡単な説明】
【００４３】
【図１】本発明の実施形態に係るエンボス加工装置の側面図。
【図２】図１の右側から見たエンボス加工装置の正面図。
【図３】図１及び図２の上側から見た部分拡大図。
【図４】ローラ支持手段が想像線で示した待機位置と実線で示した加圧位置との間で変位する状態を示した説明図。
【図５】エンボスローラの構造の詳細を示した斜視図。
【図６】制御部が行う制御手順の概要を示した説明図。
【図７】制御部が行う加工制御の制御手順の一例を示したフローチャート。
【図８】エンボス加工装置とプリンターとを組み合わせて印刷システムとして本発明を実施した実施形態を示す図。
【図９】本発明の変形例に係るエンボス加工装置の側面図。
【図１０】エンボス加工装置を用いた加工例及びその加工例に対する評価を示した図。
【符号の説明】
【００４４】
１  エンボス加工装置
６  制御部（温度制御手段、加圧力調整手段）
２０  加圧ローラ（加工ローラ）
２１  エンボスローラ（加工ローラ）
３５  温度調整機構（加熱手段）
１００  印画物
【図１】
0004580850.tif 000002
【図２】
0004580850.tif 000003
【図３】
0004580850.tif 000004
【図４】
0004580850.tif 000005
【図５】
0004580850.tif 000006
【図６】
0004580850.tif 000007
【図７】
0004580850.tif 000008
【図８】
0004580850.tif 000009
【図９】
0004580850.tif 000010
【図１０】
0004580850.tif 000011